(57)【要約】      （修正有）【課題】不使用時に出来る限りコンパクトに折りたたんで携帯でき、使用時に容易且つ瞬時に組み立てて菓子などの収容物を容易に出し入れでき、一連の動作をスマートに行うことができる携帯用の折りたたみ式紙箱を提供する。【解決手段】ほぼ同サイズの長方形又は正方形の板紙が４面連接して形成され、順に後面１、底面２、前面３、上面４を構成し、更にこの４面のそれぞれの両側に板紙が連接して形成され、側壁面６，７，８，９，１０，１１，１２，１３を構成する。後面１を底面２に対し直角に折り曲げ起立した状態で且つ後面１と底面２の全側壁面を直角に折り曲げた状態で、隣合う後面１と底面２の側壁面を重なる状態で接着し、更に、上面４を前面３に対し直角に折り曲げ起立した状態で且つ上面４と前面３の全側壁面を直角に折り曲げた状態で、隣合う上面４と前面３の側壁面を重なる状態で接着して半組立状態に組立てる。【選択図】図１
2012076814.tif 000002
【特許請求の範囲】
【請求項１】
１枚の板紙により形成された携帯用の折りたたみ式紙箱において、
ほぼ同サイズの長方形又は正方形の板紙が４面連接して形成され、順に後面、底面、前面、上面を構成すると共に各面の接している箇所に折り目が設けられ、
前記後面、底面、前面、上面の４面のそれぞれの両側に板紙が連接して形成され、側壁面を構成すると共に前記４面と前記側壁面の接している箇所に折り目が設けられ、
前記後面を前記底面に対し直角に折り曲げ起立した状態で且つ前記後面と前記底面の全側壁面を直角に折り曲げた状態で、隣合う前記後面と前記底面の側壁面を重なる状態で接着し、更に、前記上面を前記前面に対し直角に折り曲げ起立した状態で且つ前記上面と前記前面の全側壁面を直角に折り曲げた状態で、隣合う前記上面と前記前面の側壁面を重なる状態で接着して半組立状態に組立て、
携帯時に、前記半組立状態から、前記後面と前記底面の接着された両側壁面と、前記上面と前記前面の接着された両側壁面とをそれぞれ内側４５度に折り込むことで、前記後面と前記底面、前記上面と前記前面に両側壁面が挟み込まれてそれぞれ重なり、更に前記底面と前記前面の接している折り目を山側に折り込むことで、前記４面は蛇腹状に折り重なり、前記４面の１面のサイズにまで小さく折りたたんで携帯状態を形成し、
収容時に、蛇腹状に折り重なっていた前記４面を連接している方向に広げ、更に折り込まれている前記後面と前記底面の接着された両側壁面又は前記上面と前記前面の接着された両側壁面のいずれかを直角になるように広げて、上方と１側方を開口した収容空間を形成し、
箱体の完成時に、前記上面と前記前面の接着された両側壁面又は前記後面と前記底面の接着された両側壁面の内、収容時に直角に折り曲げて開口した両側壁面とは異なる両側壁面を直角になるように広げて開口し、前記収容空間に覆い被せることで、前記上面、前面、底面、後面の４面と前記全両側壁面により６面体の箱体を形成することを特徴とする携帯用の折りたたみ式紙箱。
【請求項２】
前記後面に連接して先端に差し込み用の突起を形成した蓋体を設ける共に前記上面に前記差し込み用の突起の差し込み口を設けたことを特徴とする請求項１記載の携帯用の折りたたみ式紙箱。
【発明の詳細な説明】
【技術分野】
【０００１】
本発明は、携帯用の折りたたみ式紙箱、特にケーキ等の菓子を収容させるのに好適な携帯用の折りたたみ式紙箱に関するものである。
【背景技術】
【０００２】
茶会や会合等に参加した際、出されたケーキ等の菓子を食べきれず残してしまうことがある。この残った菓子を持ち帰る際、茶会にあっては懐紙に包んで懐や袂にしまうことから、菓子によっては懐紙にくっ付いて取れ難くなったり、形が崩れたり、最悪潰れてしまうこともあった。また、懐紙からはみ出た菓子が衣類を汚してしまうということもあった。
【０００３】
一方、菓子の形を崩したり、潰さないように運ぶものとしては、組立て式の紙箱がある。しかし、従来の一般的な紙箱は、輸送用の梱包やお店での包装用としての使用が主である。このような一般的な紙箱は、生産者は組み立て方や組み立てた時の強度や持ち運びに配慮し消費者に渡るまでの利便性を重視しており、また、消費者は品物を取り出してしまえば目的を達するので処分するか他の入れ物に利用している。したがって、従来の一般的な紙箱は、携帯性や組立て易さに課題があった。このような課題を解決するものとして、組立てを簡単にした折りたたみ式の紙箱が開示されている（例えば、特許文献１，２参照）。
【先行技術文献】
【特許文献】
【０００４】
【特許文献１】特開２００６-７６５７４号公報
【特許文献２】特開２００６-８９０８５号公報
【発明の概要】
【発明が解決しようとする課題】
【０００５】
しかしながら、特許文献１，２のような紙箱にあっては、折りたたんだ状態から、菓子を収容する状態（ロック状態）にするまでには、各側壁板を起こして起立させ、内側に折り込んだコーナーフラップをコーナーフラップ抑え板で側壁板との間に挟み込んで起立状態をロックさせるといった多数のステップを必要するものである。また、底板、側壁板等のサイズが同一ではないため、コンパクトに折りたためないと共にすっきりと折りたためないものであった。店舗内や工場内での組立て、包装の作業であれば、このような紙箱であっても良いかもしれないが、茶会や会合等のように他人の目を気にしながら、菓子の収容を行わなければならない場所にあっては、紙箱を携帯しているところ、紙箱を取り出し組立てるところ、菓子を収容しているところ、収容後しまうところが長く見えてしまったのでは、みっともなくスマートさに欠ける問題があった。
【０００６】
本発明は、このような問題点に鑑みてなされたもので、不使用時に出来る限りコンパクトに折りたたんで携帯でき、使用時に容易且つ瞬時に組み立てて菓子などの収容物を容易に出し入れでき、一連の動作をスマートに行うことができる携帯用の折りたたみ式紙箱を提供することを目的とする。
【課題を解決するための手段】
【０００７】
上記目的を達成するため本発明の携帯用の折りたたみ式紙箱にあっては、１枚の板紙により形成された携帯用の折りたたみ式紙箱において、ほぼ同サイズの長方形又は正方形の板紙が４面連接して形成され、順に後面、底面、前面、上面を構成すると共に各面の接している箇所に折り目が設けられ、後面、底面、前面、上面の４面のそれぞれの両側に板紙が連接して形成され、側壁面を構成すると共に４面と側壁面の接している箇所に折り目が設けられ、後面を底面に対し直角に折り曲げ起立した状態で且つ後面と底面の全側壁面を直角に折り曲げた状態で、隣合う後面と底面の側壁面を重なる状態で接着し、更に、上面を前面に対し直角に折り曲げ起立した状態で且つ上面と前面の全側壁面を直角に折り曲げた状態で、隣合う上面と前面の側壁面を重なる状態で接着して半組立状態に組立てる。
【０００８】
携帯時に、半組立状態から、後面と底面の接着された両側壁面と、上面と前面の接着された両側壁面とをそれぞれ内側４５度に折り込むことで、後面と底面、上面と前面に両側壁面が挟み込まれてそれぞれ重なり、更に底面と前面の接している折り目を山側に折り込むことで、４面は蛇腹状に折り重なり、４面の１面のサイズにまで小さく折りたたんで携帯状態を形成し、収容時に、蛇腹状に折り重なっていた４面を連接している方向に広げ、更に折り込まれている後面と底面の接着された両側壁面又は上面と前面の接着された両側壁面のいずれかを直角になるように広げて、上方と１側方を開口した収容空間を形成し、箱体の完成時に、上面と前面の接着された両側壁面又は前記後面と前記底面の接着された両側壁面の内、収容時に直角に折り曲げて開口した両側壁面とは異なる両側壁面を直角になるように広げて開口し、収容空間に覆い被せることで、後面、底面、前面、上面の４面と全両側壁面により６面体の箱体を形成することを特徴とする。
【０００９】
また、後面に連接して先端に差し込み用の突起を形成した蓋体を設ける共に上面に差し込み用の突起の差し込み口を設けたことを特徴とする。
【発明の効果】
【００１０】
ほぼ同サイズの長方形又は正方形の板紙が４面連接して形成され、順に後面、底面、前面、上面を構成すると共に各面の接している箇所に折り目が設けられ、携帯時にこの１つの面のサイズにまで、折り重ねてたたむことができることから、不使用時に出来る限りコンパクトに折りたたんで携帯することができる。懐、袂、ポケット、鞄などに入れてもコンパクトであることから、嵩張らず邪魔にならない。
【００１１】
収容時に、蛇腹状に折り重なっていた４面を連接している方向に広げ、更に折り込まれている後面と底面の接着された両側壁面又は上面と前面の接着された両側壁面のいずれかを直角になるように広げて、上方と１側方を開口した収容空間を形成し、箱体の完成時に、上面と前面の接着された両側壁面又は後面と底面の接着された両側壁面の内、収容時に直角に折り曲げて開口した両側壁面とは異なる両側壁面を直角になるように広げて開口し、収容空間に覆い被せることで、後面、底面、前面、上面の４面と全両側壁面により６面体の箱体を形成するようにしたことで、使用時に容易且つ瞬時に組み立てて菓子を収容でき、収容後も容易且つ瞬時に箱体（６面体）を組立てることができる。
【００１２】
このような構成の折りたたみ式紙箱により、コンパクトに折りたたんである状態から、上方と１側方を開口した収容空間の形成、箱体完成までの一連の動作をスマートに行うことができる。
【図面の簡単な説明】
【００１３】
【図１】展開図である。
【図２】組立て及び折りたたみ状態を示す説明図である。
【図３】収容状態を示す説明図である。
【図４】箱体の完成を示す説明図である。
【発明を実施するための形態】
【００１４】
以下、添付図面に基づいて本発明の実施の形態に係る携帯用の折りたたみ式紙箱を説明する。
【００１５】
図１は、本発明による紙箱の展開図である。本発明の紙箱は、１枚の板紙により形成され折りたたみ式に構成されている。具体的には、ほぼ同サイズの長方形又は正方形の板紙が４面連接して形成され、順に後面１、底面２、前面３、上面４を構成すると共に各面の接している箇所にはそれぞれ折り目２１，２２，２３が設けられる。また、後面１の底面２の反対側には、連接して先端に差し込み用の突起１４を形成した蓋体５が設けられる共に上面４には差し込み用の突起１４の差し込み口１５が設けられる。
【００１６】
後面１、底面２、前面３、上面４の４面のそれぞれの両側には各面を挟んで板紙が連接して形成され側壁面６〜１３を構成すると共に４面１〜４と側壁面６〜１３の接している箇所には折り目２５〜３２が設けられる。
【００１７】
後面１の両側に形成される側壁面６，７は、長方形に形成されていると共に後面１と底面２の接している箇所の端部から４５度の角度で折り目３３，３４が設けられる。また、側壁面６，７の折り目３３，３４の底面２側には三角形の接着部６ａ，７ａが設けられる。
【００１８】
底面２の両側に形成される側壁面８，９は、台形に形成されていると共に後面１と底面２の接している箇所の端部から４５度の角度に形成されている。また、側壁面８，９の後面１側には三角形の接着部８ａ，９ａが設けられる。
【００１９】
前面３の両側に形成される側壁面１０，１１は、ほぼ直角二等辺三角形に形成されており、したがって前面３と上面４の接している箇所の端部から４５度の角度に形成されている。また、側壁面１０，１１の上面４側には三角形の接着部１０ａ，１１ａが設けられる。
【００２０】
上面４の両側に形成される側壁面１２，１３は、長方形に形成されていると共に前面３と上面４との接している箇所の端部から４５度の角度で折り目３５，３６が設けられる。また、側壁面１２，１３の折り目３５，３６の前面３側には三角形の接着部１２ａ，１３ａが設けられる。
【００２１】
図２は、組立て及び折りたたみ状態を示す説明図である。本発明の紙箱を使用できるようにするためには、予め以下のような組立て作業により半組立状態に組立てておく必要がある。
【００２２】
後面１を底面２に対し折り目２１に沿って直角に折り曲げ起立させ、更に、後面１と底面２の全側壁面６〜９を折り目２５〜２８に沿って直角に折り曲げる。この状態で、隣合う後面１と底面２の側壁面６と８、７と９を重なる状態で接着する。具体的には、側壁面６の接着面６ａと隣合う側壁面８の接着面８ａを重なる状態にして接着し、側壁面７の接着面７ａと隣合う側壁面９の接着面９ａを重なる状態にして接着する。
【００２３】
次に、上面４を前面３に対し折り目２３に沿って直角に折り曲げ起立させ、更に、前面３と上面４の全側壁面１０〜１３を折り目２９〜３２に沿って直角に折り曲げる。この状態で、隣合う前面３と上面４の側壁面１０と１２、１１と１３を重なる状態で接着する。具体的には、側壁面１０の接着面１０ａと隣合う側壁面１２の接着面１２ａを重なる状態にして接着し、側壁面１１の接着面１１ａと隣合う側壁面１３の接着面１３ａを重なる状態にして接着する。この接着により半組立状態が組立てられたことになる。
【００２４】
このように隣合う側壁面の接着箇所（８箇所）を重なる状態して４箇所で接着し固定することで、図２（１）に示すような、後面１と上面４が直角に起立し、更に隣合う側壁面が接着された状態の全側壁面が直角に折り曲げられた状態で保持されることになる。このように接着保持された紙箱は、底面２と前面３が底側に位置すると共に起立した後面１と上面４が対向し、結果、上方が開放した半組立状態となる。
【００２５】
次に、図２（１）に示すような半組立状態から携帯時の折りたたみ状態にするための方法を説明する。
【００２６】
折りたたむ際には、図２（２）に示すように後面１と底面２の接着された両側壁面６〜９を、折り目３３，３４に沿って内側４５度の方向に折り込む。折り込むことで、両側壁面６〜９は後面１と底面２の間に挟み込まれるため、結果、後面１と底面２が重なり平面状態となる。同様に、上面４と前面３の接着された両側壁面１０〜１３を、折り目３５，３６に沿って内側４５度の方向に折り込む。折り込むことで、両側壁面１０〜１３は上面４と前面３の間に挟み込まれるため、結果、上面４と前面３が重なり平面状態となる。
【００２７】
更に、図２（３）に示すように底面２と前面３の接する折り目２２を山側に折り込む。折り込むことで、後面１、底面２、前面３、上面４の４面は蛇腹状に折り重なり、結果、図２（４）に示すようにこの４面はほぼ同サイズであることから１面のサイズにまで小さく折りたたむことができることになる。更に、４面を折り重ねた状態で、蓋体５を折り目２４に沿って折り曲げ、先端の差し込み用の突起１４を上面４に設けられた差し込み口１５が差し込むことで、４面の折り重ねた状態が保持することができ、携帯し易くできる。
【００２８】
このように１つの面のサイズにまで、折り重ねてたたむことができることから、不使用時に出来る限りコンパクトに折りたたんで携帯することができる。したがって、懐、袂、ポケット、鞄などに入れてもコンパクトであることから、嵩張らず邪魔にならない。
【００２９】
後面１の側壁面６，７の折り目３３，３４の底面２側に設けた三角形の接着部６ａ，７ａに、底面２の側壁面８，９の後面１側に設けた三角形の接着部８ａ，９ａを重ねて接着することで、折り目３３，３４に底面２の側壁面８，９が重ならないため、折り曲げ易いと共に折り重ねた際の厚みを抑えることができる。同様に、上面４の側壁面１２，１３の折り目３５，３６の前面３側に設けた三角形の接着部１２ａ，１３ａに、前面３の側壁面１０，１１の上面４側に設けた三角形の接着部１０ａ，１１ａを重ねて接着することで、折り目３５，３６に前面３の側壁面１０，１１が重ならないため、折り曲げ易いと共に折り重ねた際の厚みを抑えることができる。
【００３０】
図３は、菓子などの収容物の収容状態を示す説明図である。菓子などの収容物の収容時には、先ず図３（１）に示すような携帯状態から蓋体５の先端に設けられた突起１４を、上面４に設けられた差し込み口１５から抜く。次に蛇腹状に折り重なっていた後面１、底面２、前面３、上面４の４面を連接している方向に広げることで、再び後面１と上面４が起立し、上方が開放された図３（２）に示すような半組立状態になる。
【００３１】
次に、この半組立状態で、上面４と前面３の接着された両側壁面１０〜１３を、折り目３５，３６に沿って内側４５度の方向に折り込む。折り込むことで、両側壁面１０〜１３は上面４と前面３の間に挟み込まれ、上面４と前面３が重なり平面状態となる。更に、後面１を後ろ方向に引っ張る又は、後面１と底面２の接着した両側壁面６〜９を外方向に広げることで、後面１は底面２に対し直角に起立し、更に後面１と底面２の接着した両側壁面６〜９も後面１及び底面２に対し直角になるように広がることから、図３（３）に示すような、上方と１側面方向が開口した収容空間が形成される。収容空間は、上方と１側面方向が開口していることから、菓子などの収容物を側壁面などに当てることなく容易に出し入れすることができる。
【００３２】
菓子などの収容物を収容した後、箱体を完成させるためには、図３（４）に示すように
上面４を折りたたんである状態から引き起こし、前面３に対し上面４を直角に起立させると共に、前面３と上面４の接着した両側壁面１０〜１３も前面３と上面４に対し直角になるように起立させ、折り目２２に沿って底面２側に折り曲げる。
【００３３】
図４は、箱体の完成を示す説明図である。図４（１）に示すように底面２と前面３が接する折り目２２から前面３を９０度立ち上げると、それまで底側に位置していた前面３は上面４の位置に、上面４は上側の位置に移ることになるため、後面１は前面３と上面４は底面２と向かい合う状態になる。更にこの動きに連動し前面３と上面４を直角に支える両側壁面が、後面１と底面２を直角に支える両側壁面と重ね合うことになり、隙間のないしっかりとした側壁面を形成することになる。このことで後面１、底面２、前面３、上面４の４面と全両側壁面６〜１３により６面体の箱体ができることになる。
【００３４】
更に、この箱体ができた状態で、蓋体５を折り目２４に沿って折り曲げ、先端の差し込み用の突起１４を上面４に設けられた差し込み口１５が差し込むことで箱体の組立ては完成であり、箱体の組立状態が保持されることになる。このように、少ないステップで容易に、携帯状態から収容状態、更には箱体完成までの形態変換を行うことができる。また、図４、図３の動作を逆に行うことで、箱体の組立状態から折りたたんである携帯状態に素早く形態変換が可能である。
【００３５】
なお、後面１、底面２、前面３、上面４の４面の配置関係を逆にして、前面３と上面４で収容空間を形成し、広げた後面１と底面２で収容空間を覆い被せるようにして箱体を組み立てるようにしても良い。
【産業上の利用可能性】
【００３６】
本発明の携帯用の折りたたみ式紙箱は、ケーキ等の洋菓子の他、和菓子、薬、小物などの固形物を収容させる容器としても適用可能なものである。
【符号の説明】
【００３７】
１  後面
２  底面
３  前面
４  上面
５  蓋体
６〜１３  側壁面
６ａ〜１３ａ  接着部
１４  突起
１５  差し込み口
２１〜３６  折り目
【図１】
2012076814.tif 000003
【図２】
2012076814.tif 000004
【図３】
2012076814.tif 000005
【図４】
2012076814.tif 000006